Podtech/llm-jp-corpus-v4-ja_patent huggingface dataset:
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
内視鏡に用いられるバルーンに接続される所定の管路に対し空気の送気を行うポンプと、
前記所定の管路の内圧を測定する圧力測定手段と、
前記ポンプの前記所定の管路に対する送気流量を調整する流量調整手段と、
前記流量調整手段を制御することによって、前記ポンプの前記所定の管路への送気流量を変化させて前記所定の管路の内圧値を所定の圧力値とした後、第１の時間および第２の時間において前記圧力測定部が測定した前記所定の管路の内圧値を取得し、かつ、前記第１の時間における前記所定の管路の第１の内圧値と第２の時間における前記所定の管路の第２の内圧値との差の絶対値が所定の閾値を超える場合においては、前記バルーンが異常であることを判定する制御手段と、
前記制御手段の判定結果に基づき、前記所定の管路の異常を告知する異常状態告知手段と、
を具備することを特徴とする内視鏡バルーン制御装置。
【請求項２】
前記制御手段は、前記流量調整手段を制御することによって、前記ポンプの前記所定の管路への送気流量を最小送気流量および最大送気流量に変化させて前記所定の管路に空気を供給し、所定の時間において前記圧力測定部が測定した前記所定の管路の内圧値を取得し、かつ、前記ポンプの最小送気流量の空気が前記所定の管路に供給された後前記所定の時間が経過した際に、前記所定の管路の内圧値が予め設定された第１の閾値を超えた場合、または前記ポンプの最大送気流量の空気が前記所定の管路に供給された後前記所定の時間が経過した際に、前記所定の管路の内圧値が予め設定された第２の閾値に達しない場合においては、前記ポンプが異常であることを判定する判定手段を有することを特徴とする請求項１記載の内視鏡バルーン制御装置。
【請求項３】
前記制御手段は、所定の時間において前記圧力測定部が測定した前記所定の管路の内圧値と、予め設定された内圧の目標値との差分を最小にする流量調整を行う手段を有することを特徴とする請求項１記載の内視鏡バルーン制御装置。
【請求項４】
前記バルーンが、内視鏡挿入部の先端外周に設けられたことを特徴とする請求項１から３のいずれか一つに記載の内視鏡バルーン制御装置。
【請求項５】
前記バルーンが、内視鏡を挿通させるオーバーチューブの先端外周に設けられたことを特徴とする請求項１から３のいずれか一つに記載の内視鏡バルーン制御装置。
【請求項６】
前記バルーンが、内視鏡挿入部の先端外周および前記内視鏡を挿通させるオーバーチューブの先端外周に設けられたことを特徴とする請求項１から３のいずれか一つに記載の内視鏡バルーン制御装置。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
挿入部先端の外周部に固定用のバルーンを取り付けた内視鏡の前記バルーンにエアを供給するポンプを有し、前記ポンプを動作させてエアを供給制御する内視鏡バルーン制御装置であって、
前記各バルーンの拡張、収縮の状態を検出する状態検出手段と、この状態検出手段による検出結果に基づく表示を行うための状態情報を出力する状態情報出力手段と、
前記バルーンの動作、非動作の動作状況を検出する動作状況検出手段と、この動作状況検出手段による検出結果に基づく表示を行うための動作状況情報を出力する動作状況情報出力手段と、
を設けたことを特徴とする内視鏡バルーン制御装置。
【請求項２】
内視鏡を挿通させるオーバーチューブの先端外周部に設けられたバルーンにエアを供給するポンプを有し、前記ポンプを動作させてエアを供給制御する内視鏡バルーン制御装置において、
前記バルーンの拡張、収縮の状態を検出する状態検出手段と、この状態検出手段による検出結果に基づく表示を行うための状態情報を出力する状態情報出力手段と、
前記バルーンの動作、非動作の動作状況を検出する動作状況検出手段と、この動作状況検出手段による検出結果に基づく表示を行うための動作状況情報を出力する動作状況情報出力手段と、
を設けたことを特徴とする内視鏡バルーン制御装置。
【請求項３】
挿入部先端の外周部に固定用のバルーンを取り付けた内視鏡のバルーン及び、先端外周部に固定用のバルーンを取り付け、前記内視鏡を挿通させるオーバーチューブの前記バルーンにエアを供給するポンプを有し、前記ポンプを動作させてエアを供給制御する内視鏡バルーン制御装置において、
前記各バルーンの拡張、収縮の状態を検出する状態検出手段と、この状態検出手段による検出結果に基づく表示を行うための状態情報を出力する状態情報出力手段と、
前記各バルーンの動作、非動作の動作状況を検出する動作状況検出手段と、この動作状況検出手段による検出結果に基づく表示を行うための動作状況情報を出力する動作状況情報出力手段と、
を設けたことを特徴とする内視鏡バルーン制御装置。
【請求項４】
前記状態情報出力手段および動作状況情報出力手段は、前記内視鏡バルーン制御装置を操作するためのリモートコントローラに対し、このリモートコントローラに設けられた表示手段に前記状態情報に基づく表示を行うべく前記状態情報および前記動作状況情報に基づく表示を行うべく、前記情報状態情報および前記動作状況情報を出力することを特徴とする請求項１から３のいずれか一つに記載の内視鏡バルーン制御装置。
【請求項５】
前記状態情報出力手段及び動作状況情報出力手段は、前記内視鏡からの撮像信号を処理して内視鏡画像を出力するビデオプロセッサに前記状態情報および前記動作状況情報を出力し、
前記ビデオプロセッサは、前記状態情報および前記動作状況情報に基づく画像と前記内視鏡による前記内視鏡画像とを合成して、前記内視鏡画像を表示するモニターに表示させることを特徴とする請求項１から３のいずれか一つに記載の内視鏡バルーン制御装置。
【手続補正２】
【補正対象書類名】明細書
【補正対象項目名】０００７
【補正方法】変更
【補正の内容】
【０００７】
そこで、本発明は前記問題点に鑑みてなされたもので、バルーンの拡張、収縮の状態だけではなく、その動作中の状態を術者に認識させることにより、内視鏡やオーバーチューブの深部への挿入を安全かつ速やかに行うことを可能とした内視鏡バルーン制御装置を提供することを目的とする。
【手続補正３】
【補正対象書類名】明細書
【補正対象項目名】０００８
【補正方法】変更
【補正の内容】
【０００８】
前記目的を達成するために請求項１記載の内視鏡バルーン制御装置は、挿入部先端の外周部に固定用のバルーンを取り付けた内視鏡の前記バルーンにエアを供給するポンプを有し、前記ポンプを動作させてエアを供給制御する内視鏡バルーン制御装置であって、前記各バルーンの拡張、収縮の状態を検出する状態検出手段と、この状態検出手段による検出結果に基づく表示を行うための状態情報を出力する状態情報出力手段と、前記バルーンの動作、非動作の動作状況を検出する動作状況検出手段と、この動作状況検出手段による検出結果に基づく表示を行うための動作状況情報を出力する動作状況情報出力手段と、を設けたことを特徴とする。
【手続補正４】
【補正対象書類名】明細書
【補正対象項目名】０００９
【補正方法】変更
【補正の内容】
【０００９】
請求項２記載の内視鏡バルーン制御装置は、内視鏡を挿通させるオーバーチューブの先端外周部に設けられたバルーンにエアを供給するポンプを有し、前記ポンプを動作させてエアを供給制御する内視鏡バルーン制御装置において、前記バルーンの拡張、収縮の状態を検出する状態検出手段と、この状態検出手段による検出結果に基づく表示を行うための状態情報を出力する状態情報出力手段と、前記バルーンの動作、非動作の動作状況を検出する動作状況検出手段と、この動作状況検出手段による検出結果に基づく表示を行うための動作状況情報を出力する動作状況情報出力手段と、を設けたことを特徴とする。
【手続補正５】
【補正対象書類名】明細書
【補正対象項目名】００１０
【補正方法】変更
【補正の内容】
【００１０】
請求項３記載の内視鏡バルーン制御装置は、挿入部先端の外周部に固定用のバルーンを取り付けた内視鏡のバルーン及び、先端外周部に固定用のバルーンを取り付け、前記内視鏡を挿通させるオーバーチューブの前記バルーンにエアを供給するポンプを有し、前記ポンプを動作させてエアを供給制御する内視鏡バルーン制御装置において、前記各バルーンの拡張、収縮の状態を検出する状態検出手段と、この状態検出手段による検出結果に基づく表示を行うための状態情報を出力する状態情報出力手段と、前記各バルーンの動作、非動作の動作状況を検出する動作状況検出手段と、この動作状況検出手段による検出結果に基づく表示を行うための動作状況情報を出力する動作状況情報出力手段と、を設けたことを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の内視鏡バルーン制御装置は、バルーンの拡張、収縮の状態だけではなく、その動作中の状態を術者に認識させることにより、内視鏡やオーバーチューブの深部への挿入を安全かつ速やかに行うことが可能である。
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
操作者による押圧操作によってオンオフ動作する複数のスイッチが不動部に相当する盤面の一部に装備されている操作スイッチ装置において、
前記各スイッチを実装するスイッチユニットが少なくとも操作者に対面する向きとこの向きと直角な向きとの間で回動可能であり、
前記スイッチユニットは、当該スイッチユニットの回動周面に複数形成された係合部と、該係合部に対し係脱可能でありそのうち何れか一つに係止する、前記盤面側に設けられる係止部材とを少なくとも備えたラッチ機構を介して支持されて任意の回動位置に保持されるとともに、
前記スイッチユニットには、前記スイッチが操作者に対面する向きに対して直角な向きに回動したときに水平に張り出す手首載せ部が設けられていることを特徴とする、操作スイッチ装置。
【請求項２】
前記スイッチユニットは、前記盤面に対して着脱可能であることを特徴とする、請求項１に記載の操作スイッチ装置。
【請求項３】
請求項１又は２に記載の操作スイッチ装置が備えられていることを特徴とする遊技機。
【請求項４】
前記遊技機には複数の回転可能な回胴リールが備えられ、前記各スイッチは、前記各回胴リールの停止操作をそれぞれ行うように対応付けられた停止スイッチであることを特徴とする請求項３に記載の遊技機。
【手続補正２】
【補正対象書類名】明細書
【補正対象項目名】００１０
【補正方法】変更
【補正の内容】
【００１０】
請求項１記載の発明は、操作者による押圧操作によってオンオフ動作する複数のスイッチが不動部に相当する盤面の一部に装備されている操作スイッチ装置において、前記各スイッチを実装するスイッチユニットが少なくとも操作者に対面する向きとこの向きと直角な向きとの間で回動可能であり、前記スイッチユニットは、当該スイッチユニットの回動周面に複数形成された係合部と、該係合部に対し係脱可能でありそのうち何れか一つに係止する、前記盤面側に設けられる係止部材とを少なくとも備えたラッチ機構を介して支持されて任意の回動位置に保持されるとともに、前記スイッチユニットには、前記スイッチが操作者に対面する向きに対して直角な向きに回動したときに水平に張り出す手首載せ部が設けられていることを特徴とする。
【手続補正３】
【補正対象書類名】明細書
【補正対象項目名】００１１
【補正方法】変更
【補正の内容】
【００１１】
請求項２記載の発明は、請求項１に記載の操作スイッチ装置であって、前記スイッチユニットは、前記盤面に対して着脱可能であることを特徴とする。
【手続補正４】
【補正対象書類名】明細書
【補正対象項目名】００１２
【補正方法】変更
【補正の内容】
【００１２】
請求項３記載の発明は、遊技機であって、請求項１又は２に記載の操作スイッチ装置が備えられていることを特徴とする。
【手続補正５】
【補正対象書類名】明細書
【補正対象項目名】００１３
【補正方法】変更
【補正の内容】
【００１３】
請求項４記載の発明は、請求項３に記載の遊技機であって、前記遊技機には複数の回転可能な回胴リールが備えられ、前記各スイッチは、前記各回胴リールの停止操作をそれぞれ行うように対応付けられた停止スイッチであることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項１記載の発明によれば、スイッチを実装するスイッチユニットが盤面に対して回動可能に設けられ、操作者の回動操作により操作者に対面する向きおよびこれ以外の向きに変更できるので、スイッチユニットを操作者にとって疲労の蓄積が少なく、また操作性の良好な態勢に選択することが可能となる。
また、スイッチユニットは、回動周面に形成された係合部の何れか１つに係止する係止部材により、操作者の任意の回動位置に保持されるので、スイッチユニットの回動端面に保持機構を設けた場合のような遊技機幅方向での設置スペースの拡大を抑制することができる。
また、スイッチユニットが操作者と対面する向きと直角な向きに回動した際に手首載せ部が水平方向に張り出すようになっているので、垂直方向から押圧操作する際に手首が浮くのをなくして腕の重さが肩に負担となるのを軽減して操作の際の疲労を軽減することが可能となる。
【手続補正１０】
【補正対象書類名】明細書
【補正対象項目名】００１８
【補正方法】変更
【補正の内容】
【００１８】
請求項２記載の発明によれば、スイッチユニットが盤面に対して着脱可能であるので、盤面を取り外すことをなくしてスイッチユニットの交換に要する労力負担を低減することが可能となる。
【手続補正１１】
【補正対象書類名】明細書
【補正対象項目名】００１９
【補正方法】変更
【補正の内容】
【００１９】
請求項３および４記載の発明によれば、遊技の際の操作頻度の高い部材である操作スイッチを遊技者にとって手への疲労の蓄積が少なく、操作しやすい態勢とすることができるので、良好な操作性を得ることが可能となり、しかも、スイッチユニットのみの交換により盤面に装備されている一パーツの交換作業で済むことによりスイッチの劣化の際の交換作業性を改善することが可能となる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正書】
【提出日】平成19年3月26日(2007.3.26)
【手続補正１】
【補正対象書類名】明細書
【補正対象項目名】００１７
【補正方法】変更
【補正の内容】
【００１７】
図２は、図１におけるＩＩ−ＩＩ線矢視図であって、ＩＩ−ＩＩ線は中心線Ｃ−Ｃに一致している。カバーシート２の内面１３に設けられた体液吸収部３において、第１パネル部２１は後胴周り被覆域７に第１後端部４６を有し、股部被覆域８に第１前端部４７を有する。第２パネル部２２は、前胴周り被覆域６に第２前端部４８を有し、股部被覆域８に第２後端部４９を有する。第３パネル部２３は、第１前端部４７につながる第３前端部５１と、第２後端部４９につながる第３後端部５２とを有する。第１パネル部２１と第２パネル部２２とが重なり合うおむつの前後方向における寸法２０〜７０ｍｍの範囲にあることが好ましい。また、第１パネル部２１は、トップシート２９で形成された第１内面２１ａと、外側拡散性シート２７で形成された第１外面２１ｂとを有し、その第１外面２１ｂはホットメルト接着剤（図示せず）を介してカバーシート２の内面１３に接合している。第２パネル部２２は、トップシート２９で形成された第２内面２２ａと、外側拡散性シート２７で形成された第２外面２２ｂとを有し、その外面２２ｂは、第２前端部４８の近傍がホットメルト接着剤（図示せず）を介してカバーシート２の内面１３に接合する一方、股部被覆域８において第２後端部４９の近傍が第１パネル部２１における第１前端部４７の上方に位置している。股部被覆域８において、第１パネル部２１と第２パネル部２２との間に介在する第３パネル部２３は、第１パネル部２１と第２パネル部２２とにおけるトップシート２９の延長上にあるトップシート２９で形成された第３内面２３ａと、第１パネル部２１と第２パネル部２２とにおける外側拡散性シート２７の延長上にある外側拡散性シート２７で形成された第３外面２３ｂとを有し、その第３内面２３ａは、第１パネル部２１の第１内面２１ａと離間接触可能に向かい合い、その第３外面２３ｂは第２パネル部２２の第２外面２２ｂと向かい合っている。好ましいおむつ１において、第２パネル部２２の第２外面２２ｂを形成している外側拡散性シート２７と第３パネル部２３の第３外面２３ｂを形成している外側拡散性シート２７とは、ホットメルト接着剤（図示せず）を介して互いに接合している。カバーシート２の内面１３に接合していない第２パネル部２２の第２後端部４９近傍とここに重なる第３パネル部２３とは、双頭矢印Ｅ方向へ旋回して第１パネル部２１の第１内面２１ａに対して離間したり接近したりすることが可能であり、図示の如く離間したときには、第１パネル部２１と第３パネル部２３との間に、後胴周り被覆域７に向かって開口するポケット５６を形成する。
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
遊技機前面側に開放された筐体と、制御基板を基板ボックスに収容してなる制御基板装置とを備え、前記筐体内にその背面部に対向するようにして前記制御基板装置を配置した遊技機において、
前記筐体の背面部には、筐体開放部側へ回動可能に前記制御基板装置を支持し、該制御基板装置の回動先端部側に遊技機の固有情報等を付したシール片を貼付したことを特徴とする遊技機。
【請求項２】
前記制御基板装置の少なくとも一部が前記筐体の前面開放部から筐体外方へ移動できるように構成し、筐体外方へ移動できる制御基板装置の部位に前記シール片を貼付したことを特徴とする請求項１に記載の遊技機。
【請求項３】
前記筐体と、その筐体の前面開放部側に設けられた前面扉とを備え、
前記筐体内部を照射する照明装置を前記前面扉に設けたことを特徴とする請求項１又は２に記載の遊技機。
【請求項４】
前記筐体に筐体内部を照射する照明装置を設けたことを特徴とする請求項１又は２に記載の遊技機。
【請求項５】
前記制御基板装置に貼付される前記シール片は一度剥離するとその痕跡が残ることを特徴とする請求項１乃至４のいずれかに記載の遊技機。
【請求項６】
前記筐体の背面部に固定された第１台座部材と、前記制御基板装置を搭載し、前記第１台座部材に重なるようにして設けられた第２台座部材とを備え、
前記第２台座部材を前記第１台座部材に対して回動可能としたことを特徴とする請求項１乃至５のいずれかに記載の遊技機。
【手続補正書】
【提出日】平成19年4月6日(2007.4.6)
【手続補正１】
【補正対象書類名】明細書
【補正対象項目名】００２７
【補正方法】変更
【補正の内容】
【００２７】
このような台形モデルを用いたモデル化は、図６（ｂ）に示すように、代表波形501に最も適合する台形波形611を見出す処理であり、公知の最適化法を用いて自動計算により行なうことができる。ここではSimplex法を用いて二乗誤差を最小化するモデル化手法を説明する。図７に最適化の手順を示す。なお、Simplex法の詳細に関しては例えば非特許文献に紹介されている。
【非特許文献１】Nelder, J. A. and R. Mead, "A Simplex Method for Function Minimization,"Computer Journal,Vol. 7, p. 308-313, 1965.
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、前記各周回体が停止した際、前記表示窓から視認できる有効位置に前記絵柄によって形成される特定絵柄の組合せが成立している場合、遊技者に特典を付与するように構成された遊技機において、
前記各周回体の回転が停止した際における前記複数種の絵柄の位置を把握する停止絵柄位置把握手段と、
前記停止絵柄位置把握手段による把握結果が正確か否かの整合判定を行う整合判定手段と
を備え、
前記駆動制御手段は、
前記各周回体の回転を開始させて第１設定回転速度に至らしめるべく前記各駆動手段を初期駆動制御する初期駆動制御手段と、
前記初期駆動制御手段による初期駆動制御の実行後、前記第１設定回転速度が維持されるよう前記各駆動手段を定速駆動制御する定速駆動制御手段と、
前記初期駆動制御手段による初期駆動制御の実行中に、前記特定絵柄の組合わせに揃えた同期絵柄を形成するよう前記各駆動手段を駆動制御する同期絵柄形成手段と
を備え、
前記同期絵柄形成手段は、
前記停止絵柄位置把握手段の把握結果に基づき、前記各周回体に付された前記特定絵柄の位置関係を把握する位置関係把握手段と、
前記位置関係把握手段の把握結果に基づき、前記各周回体が第２設定回転速度となった際に前記同期絵柄を形成するよう、１の周回体が回転開始した後に他の周回体を回転開始させるまでの待機時間を算出する算出手段と、
前記始動操作手段の操作に基づき、前記周回体を個別に回転開始させて前記第２設定回転速度に至らしめると共に当該第２設定回転速度にて定速回転するよう対応する駆動手段を駆動制御し、且つ１の周回体が回転開始してから前記算出手段により算出された待機時間分だけ遅らせて他の周回体を回転開始させるよう駆動制御する同期駆動制御手段と、
前記整合判定手段による整合判定が不整合であった場合に、前記同期駆動制御手段による駆動制御を中止させる同期駆動中止手段と
を備えることを特徴とする遊技機。
【請求項２】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、前記各周回体が停止した際、前記表示窓から視認できる有効位置に前記絵柄によって形成される特定絵柄の組合せが成立している場合、遊技者に特典を付与するように構成された遊技機において、
前記各周回体の回転が停止した際における前記複数種の絵柄の位置を把握する停止絵柄位置把握手段と、
前記停止絵柄位置把握手段による把握結果が正確か否かの整合判定を行う整合判定手段と
を備え、
前記駆動制御手段は、
前記各周回体の回転を開始させて第１設定回転速度に至らしめるべく前記各駆動手段を初期駆動制御する初期駆動制御手段と、
前記初期駆動制御手段による初期駆動制御の実行後、前記第１設定回転速度が維持されるよう前記各駆動手段を定速駆動制御する定速駆動制御手段と、
前記初期駆動制御手段による初期駆動制御の実行中に、前記特定絵柄の組合わせに揃えた同期絵柄を形成するよう前記各駆動手段を駆動制御する同期絵柄形成手段と
を備え、
前記同期絵柄形成手段は、
前記停止絵柄位置把握手段の把握結果に基づき、前記各周回体に付された前記特定絵柄の位置関係を把握する位置関係把握手段と、
前記位置関係把握手段の把握結果に基づき、前記各周回体が前記第１設定回転速度と比して遅い第２設定回転速度となった際に前記同期絵柄を形成するよう、１の周回体が回転開始した後に他の周回体を回転開始させるまでの待機時間を算出する算出手段と、
前記始動操作手段の操作に基づき、前記周回体を個別に回転開始させて前記第２設定回転速度に至らしめると共に当該第２設定回転速度にて定速回転するよう対応する駆動手段を駆動制御し、且つ１の周回体が回転開始してから前記算出手段により算出された待機時間分だけ遅らせて他の周回体を回転開始させるよう駆動制御する同期駆動制御手段と、
前記整合判定手段による判定結果が不整合であった場合に、前記同期駆動制御手段による駆動制御を中止させる同期駆動中止手段と
を備えることを特徴とする遊技機。
【請求項３】
前記駆動制御手段は、前記同期駆動中止手段が前記同期駆動制御手段による駆動制御を中止させた際に、前記初期駆動制御手段により前記各駆動手段を初期駆動制御させることを特徴とする請求項１又は２に記載の遊技機。
【請求項４】
前記整合判定手段は、前記１の周回体が回転を開始してから前記他の周回体が回転を開始する前までの間に、前記１の周回体に関する整合判定を行うことを特徴とする請求項１乃至３のいずれかに記載の遊技機。
【請求項５】
前記算出手段は、前記他の周回体の回転開始前に前記整合判定手段が前記１の周回体に関する整合判定を行うことができるよう前記待機時間を算出することを特徴とする請求項１乃至４のいずれかに記載の遊技機。
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と
を備え、前記各周回体が停止した際、前記表示窓から視認できる有効位置に前記絵柄によって形成される特定絵柄の組合せが成立している場合、遊技者に特典を付与するように構成された遊技機において、
前記駆動制御手段は、
前記各周回体の回転を開始させて第１設定回転速度に至らしめるべく前記各駆動手段を初期駆動制御する初期駆動制御手段と、
前記初期駆動制御手段による初期駆動制御の実行後、前記第１設定回転速度が維持されるよう前記各駆動手段を定速駆動制御する定速駆動制御手段と、
前記初期駆動制御手段による初期駆動制御の実行中に、前記特定絵柄の組合わせに揃えた同期絵柄を形成すると共に、該同期絵柄を維持すべく各周回体を第２設定回転速度にて定速回転するよう前記各駆動手段を駆動制御する同期絵柄形成手段と
を備え、
前記同期絵柄が前記表示窓から視認できる状況下にて、前記同期絵柄の視認性を向上させるべく補助演出を行う補助演出手段と、
前記同期絵柄形成手段による駆動制御の実行中であって、前記補助演出手段が補助演出を行う前までに、前記同期絵柄を形成することが可能か否かの判定を行う判定手段と、
前記判定手段の判定結果が不可能である場合に、前記補助演出手段による補助演出を中止させる補助演出中止手段と
を備えたことを特徴とする遊技機。
【請求項２】
前記駆動制御手段は、前記補助演出中止手段が前記補助演出手段による補助演出を中止させる場合に、前記同期絵柄形成手段による駆動制御を中止させ、前記初期駆動制御手段により前記各駆動手段を初期駆動制御させることを特徴とする請求項１に記載の遊技機。
【請求項３】
前記判定手段は、前記各周回体が前記第２設定回転速度にて定速回転している状況下で、前記同期絵柄が形成されているか否かを確認する同期絵柄確認手段を備え、該同期絵柄確認手段の確認結果が非形成であった場合に、前記判定手段は前記同期絵柄の形成を不可能と判定することを特徴とする請求項１又は２に記載の遊技機。
【請求項４】
前記各周回体の回転が停止した際における前記複数種の絵柄の位置を把握する停止絵柄位置把握手段を備え、
前記判定手段は、前記停止絵柄位置把握手段による把握結果が正確か否かの整合判定を行う整合判定手段を備え、該整合判定手段の整合判定結果が不整合であった場合に、前記判定手段は前記同期絵柄の形成を不可能と判定することを特徴とする請求項１乃至３のいずれかに記載の遊技機。
【請求項５】
前記停止絵柄位置把握手段は、前記駆動制御手段が前記駆動手段の駆動制御を終了した際に、前記複数種の絵柄の位置を把握することを特徴とする請求項４に記載の遊技機。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記各周回体毎に設けられ、該各周回体を回転させる駆動手段と、
前記各周回体の回転を停止させるべく操作される停止操作手段と、
前記始動操作手段の操作に基づいて前記各周回体の回転を開始させ、前記停止操作手段の操作に基づいて前記各周回体の回転を停止させるように、前記各駆動手段を駆動制御する駆動制御手段と、
前記表示窓から所定間隔置いた位置に表示画面を備えた表示装置と、
前記表示画面に遊技状況に対応した演出を表示するように前記表示装置を表示制御する表示制御手段と
を備え、前記各周回体が停止した際、前記表示窓から視認できる有効位置に前記絵柄によって形成される特定絵柄の組合せが成立している場合に遊技者に特典を付与するようにした遊技機において、
前記駆動制御手段は、
前記各周回体の回転を開始させて予め定めた所定回転速度に至らしめるべく前記各駆動手段を初期駆動制御する初期駆動制御手段と、
該初期駆動制御手段による初期駆動制御の実行後、前記回転速度が維持されるよう前記各駆動手段を定速駆動制御する定速駆動制御手段と、
前記初期駆動制御手段による初期駆動制御の実行中に、前記特定絵柄の組合わせに揃えた同期絵柄を形成し、該同期絵柄が前記表示窓を介して視認可能な位置を少なくとも１度は通過するよう前記各駆動手段を駆動制御する同期絵柄形成手段と、
前記各周回体の絵柄位置を検出する絵柄位置検出手段の検出結果に基づき、前記各周回体に付された前記特定絵柄の位置関係を把握する絵柄位置把握手段と
を備え、
さらに、前記絵柄位置把握手段の把握結果に基づき、前記表示窓を介して視認可能な位置を前記同期絵柄が通過していると判断されるときは、該同期絵柄の移動に同調させて前記表示画面に演出絵柄を変動表示させる同調演出を行うよう前記表示装置を表示制御する同調演出表示制御手段を備えたことを特徴とする遊技機。
【請求項２】
前記表示窓を挟むように前記表示装置を複数配置し、前記同調演出は、前記表示窓を介して視認可能な位置を通過している前記同期絵柄とほぼ並んだ状態となるように前記各表示画面において前記演出絵柄をそれぞれ変動表示させることにより行われることを特徴とする請求項１に記載の遊技機。
【請求項３】
前記同調演出は、前記表示画面に同一種類の前記演出絵柄を複数表示させ、さらに該複数の演出絵柄を互いにほぼ同期した状態で且つほぼ同じ軌跡で、前記同期絵柄の移動に同調させて変動表示させることにより行われることを特徴とする請求項１に記載の遊技機。
【請求項４】
前記演出絵柄は、前記同期絵柄の通過速度と対応した変動速度で変動表示されることを特徴とする請求項１乃至３のいずれかに記載の遊技機。
【請求項５】
前記演出絵柄は、前記周回体の回転方向と同一方向に変動表示されることを特徴とする請求項１乃至４のいずれかに記載の遊技機。
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
放射線を放射する放射線源と、
前記放射線源に対峙するように被写体を支持する被写体台と、
前記被写体台に支持された被写体と密着する密着撮影位置又は前記被写体台に支持された被写体と離間した位相コントラスト撮影位置にセット可能であり、前記被写体台を介して前記放射線源に対峙して、撮影により前記被写体を透過した放射線を検出する放射線画像検出器と、
前記放射線画像検出器を前記密着撮影位置に着脱可能に保持するカセッテ挿入型ホルダと、
前記放射線画像検出器が前記密着撮影位置に保持されたときに前記カセッテ挿入型ホルダに保持された放射線画像検出器の種類を識別し、前記放射線画像検出器が前記位相コントラスト撮影位置に保持されたときに放射線画像検出器の取り付けを検知することで、前記放射線画像検出器の種類を判別する判別手段と、
前記判別した放射線画像検出器の種類により前記放射線源の照射条件の制御方法を選択する選択手段とを有することを特徴とする乳房画像撮影装置。
【請求項２】
放射線の照射線量を検出するフォトタイマを有し、
前記カセッテ挿入型ホルダは前記密着撮影位置に着脱可能であり、
前記選択手段は、前記カセッテ挿入型ホルダが装着されると、前記フォトタイマで検出した放射線の照射線量に基づいて前記放射線源の照射線量を制御する照射量制御を選択することを特徴とする請求項１に記載の乳房画像撮影装置。
【請求項３】
前記位相コントラスト撮影位置に、前記放射線画像検出器を直接取り付ける一体型ホルダを有し、
前記選択手段は、前記一体型ホルダがセットされると、本撮影の前に行った撮影結果に基づいて本撮影の照射条件を決定するプレ曝射方式の制御を選択することを特徴とする請求項１に記載の乳房画像撮影装置。
【手続補正２】
【補正対象書類名】明細書
【補正対象項目名】０００７
【補正方法】変更
【補正の内容】
【０００７】
請求項１に記載の発明は、
放射線を放射する放射線源と、
前記放射線源に対峙するように被写体を支持する被写体台と、
前記被写体台に支持された被写体と密着する密着撮影位置又は前記被写体台に支持された被写体と離間した位相コントラスト撮影位置にセット可能であり、前記被写体台を介して前記放射線源に対峙して、撮影により前記被写体を透過した放射線を検出する放射線画像検出器と、
前記放射線画像検出器を前記密着撮影位置に着脱可能に保持するカセッテ挿入型ホルダと、
前記放射線画像検出器が前記密着撮影位置に保持されたときに前記カセッテ挿入型ホルダに保持された放射線画像検出器の種類を識別し、前記放射線画像検出器が前記位相コントラスト撮影位置に保持されたときに放射線画像検出器の取り付けを検知することで、前記放射線画像検出器の種類を判別する判別手段と、
前記判別した放射線画像検出器の種類により前記放射線源の照射条件の制御方法を選択する選択手段とを有することを特徴とする乳房画像撮影装置である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２に記載の発明は、
放射線の照射線量を検出するフォトタイマを有し、
前記カセッテ挿入型ホルダは前記密着撮影位置に着脱可能であり、
前記選択手段は、前記カセッテ挿入型ホルダが装着されると、前記フォトタイマで検出した放射線の照射線量に基づいて前記放射線源の照射線量を制御する照射量制御を選択することを特徴とする請求項１に記載の乳房画像撮影装置である。
【手続補正６】
【補正対象書類名】明細書
【補正対象項目名】００１１
【補正方法】変更
【補正の内容】
【００１１】
請求項３に記載の発明は、
前記位相コントラスト撮影位置に、前記放射線画像検出器を直接取り付ける一体型ホルダを有し、
前記選択手段は、前記一体型ホルダがセットされると、本撮影の前に行った撮影結果に基づいて本撮影の照射条件を決定するプレ曝射方式の制御を選択することを特徴とする請求項１に記載の乳房画像撮影装置である。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
前記構成により、この発明は、以下のような効果を有する。
【手続補正１２】
【補正対象書類名】明細書
【補正対象項目名】００１７
【補正方法】変更
【補正の内容】
【００１７】
請求項１に記載の発明によれば、放射線画像検出器の種類を判別し、この判別した放射線画像検出器の種類により照射条件の制御方法を選択することで、最適な照射条件で撮影できる。最適な照射条件により、例えば照射線量が多すぎて不要な被曝を被ることもなく、また照射線量が少なすぎて画質が低下し診断能が低下することもない。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
請求項２に記載の発明によれば、密着撮影位置にカセッテ挿入型ホルダをセットすると、フォトタイマの制御になり、例えば車椅子の患者など密着して撮影せざるを得ない場合、より画質の良いスクリーンフィルムシステムを用いて撮影することができる。
【手続補正１６】
【補正対象書類名】明細書
【補正対象項目名】００２１
【補正方法】変更
【補正の内容】
【００２１】
請求項３に記載の発明によれば、位相コントラスト撮影位置に一体型ホルダをセットすると、自動的にプレ曝射方式の制御になり、フラットパネルディテクタを用いる場合、その都度設定する必要がなく、間違えることもなくなる。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
予め定められた作動条件が成立することに応じて開閉動作を行なう可動部材を組み付けた可変入賞装置と、前記可動部材の開閉動作を制御する遊技制御装置とを備え、
前記可変入賞装置内には、前記可動部材の開閉動作中に当該可変入賞装置内に案内された玉が入賞可能なＶ入賞口とハズレ口とが設けられ、
前記玉が前記Ｖ入賞口に入賞することに応じて生成されるＶ入賞信号を前記遊技制御装置が取得した場合に、前記可動部材が所定の当たり時開閉動作を行なう大当たり状態が発生するパチンコ遊技機であって、
前記可動部材は、前記作動条件が互いに相違する第一の可動部材と第二の可動部材とを含んで構成され、
前記遊技制御装置は、各作動条件の成立に応じて、前記第一の可動部材を駆動する第一アクチュエータと、前記第二の可動部材を駆動する第二アクチュエータとを個別に制御し、
前記可変入賞装置は、前記第一の可動部材の開閉動作中に内部に案内された一の玉と、前記第二の可動部材の開閉動作中に内部に案内された他の玉とが、共通の前記Ｖ入賞口に入賞するように装置され、
前記第二の可動部材は、前記大当たり状態中にも開閉動作が行なわれるものであって、自身の閉鎖中に前記玉を貯留することが可能な玉貯留部を有し、開閉動作が行なわれるのとほぼ同時に、貯留していた前記玉を前記可変入賞装置内に案内するように構成されていることを特徴とするパチンコ遊技機。
【請求項２】
前記第一の可動部材は、前記可変入賞装置の左右の入口に対をなす形で設けられ、それらが常に同期して開閉動作するように構成され、
前記第二の可動部材は、前記可変入賞装置の前記左右の入口とは別の、第二の入口に蓋をする形の蓋状体をなすとともに、閉鎖状態で自身に形成された凹みが前記玉貯留部として機能することにより前記玉を貯留可能とされ、前記閉鎖状態から前記開放状態となることにともなって前記第二の入口に向けて貯留玉を落とし込むように構成されており、
前記可変入賞装置内には、前記第一の可動部材の開閉動作によって前記左右の入口から当該可変入賞装置内に進入した前記玉が最初に移動する第一領域と、該第一領域と前記Ｖ入賞口および前記ハズレ口との間に位置する第二領域とが形成される一方、
前記第二の可動部材の開閉動作によって前記第二の入口から当該可変入賞装置内に進入した前記玉を前記第二領域に直接誘導する誘導部材を設け、前記左右の入口からの前記玉と、前記第二の入口からの前記玉とが、前記第二領域にて合流するようにし、
前記可変入賞装置は、前記左右の入口から進入した前記玉が前記Ｖ入賞口に入賞する割合よりも、前記第二の入口から進入した前記玉が前記Ｖ入賞口に入賞する割合の方が高くなるように、前記第二の入口から前記Ｖ入賞口への経路上に配置された前記誘導部材を有する請求項１記載のパチンコ遊技機。
【請求項３】
前記遊技制御装置は、前記作動条件の成立を検出した場合において、前記第一の可動部材および前記第二の可動部材のうち、最新の開閉動作を行なったのがいずれであるのかを記憶する記憶部を有し、前記玉が前記Ｖ入賞口に入賞し前記Ｖ入賞信号を取得した際には、前記記憶部の記憶内容に応じて複数の大当たりモードの中から一の大当たりモードを選択し、選択した大当たりモードにて前記第一の可動部材および／または前記第二の可動部材に前記当たり時開閉動作を行なわせる請求項１または２に記載のパチンコ遊技機。
【手続補正２】
【補正対象書類名】明細書
【補正対象項目名】０００５
【補正方法】変更
【補正の内容】
【０００５】
本発明者は、従来のパチンコ遊技機では、可変入賞装置の内部構造の改良がほとんどであることに着目し、それ以外の部分の改良について真剣に取り組むことを試み、以下に示す本発明を完成させるに至った。すなわち、上記課題を解決するために本発明は、予め定められた作動条件が成立することに応じて開閉動作を行なう可動部材を組み付けた可変入賞装置と、可動部材の開閉動作を制御する遊技制御装置とを備え、可変入賞装置内には、可動部材の開閉動作中に当該可変入賞装置内に案内された玉が入賞可能なＶ入賞口とハズレ口とが設けられ、玉がＶ入賞口に入賞することに応じて生成されるＶ入賞信号を遊技制御装置が取得した場合に、可動部材が所定の当たり時開閉動作を行なう大当たり状態が発生するパチンコ遊技機であって、可動部材は、作動条件が互いに相違する第一の可動部材と第二の可動部材とを含んで構成され、遊技制御装置は、各作動条件の成立に応じて、第一の可動部材を駆動する第一アクチュエータと、第二の可動部材を駆動する第二アクチュエータとを個別に制御し、可変入賞装置は、第一の可動部材の開閉動作中に内部に案内された一の玉と、第二の可動部材の開閉動作中に内部に案内された他の玉とが、共通のＶ入賞口に入賞するように装置され、第二の可動部材は、大当たり状態中にも開閉動作が行なわれるものであって、自身の閉鎖中に玉を貯留することが可能な玉貯留部を有し、開閉動作が行なわれるのとほぼ同時に、貯留していた玉を可変入賞装置内に案内するように構成されていることを主要な特徴とする。
【手続補正３】
【補正対象書類名】明細書
【補正対象項目名】０００７
【補正方法】変更
【補正の内容】
【０００７】
本発明において、上記した第二の可動部材は、大当たり状態中にも開閉動作が行なわれるものであって、自身の閉鎖中に玉を貯留することが可能な玉貯留部を有し、開閉動作が行なわれるのとほぼ同時に、貯留していた玉を可変入賞装置内に案内するように構成される。この構成によれば、第二の可動部材が開放すると速やかに貯留玉が可変入賞装置内に案内されるから、大当たり中のラウンド間に玉の発射を止めて無駄玉を無くす、いわゆる止め打ちを行なう必要性がなくなる。また、大当たりのラウンド間で貯留した玉が、第二の可動部材の開放と同時に可変入賞装置内に入賞するから、大当たり中の１ラウンドあたりの消化時間が短縮化し、これによりスピーディーな遊技展開を実現できる。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
放射線投影データの再構成により得られた三次元画像を第一の断面で横断する第一の断面画像を設定する第一の断面画像設定手段と、
前記第一の断面画像内の陰影部を検出する検出手段と、
前記陰影部を横断する前記第一の断面画像の断面と異なる第二の断面を設定する断面設定手段と、
前記三次元画像を前記第二の断面で横断する第二の断面画像を設定する第二の断面画像設定手段と、
前記第二の断面画像から得られた情報から、前記陰影部が診断対象であるか否かを判定する判定手段と
を有することを特徴とする画像処理装置。
【請求項２】
前記第一の断面は、被検体の所定の血管流に平行な断面である
ことを特徴とする請求項１に記載の画像処理装置。
【請求項３】
前記第一の断面画像は、被検体のコロナル画像、サジタル画像及びそれらのＲＡＹＳＵＭ画像のいずれかである
ことを特徴とする請求項１に記載の画像処理装置。
【請求項４】
前記第二の断面画像は、被検体のアキシャル画像である
ことを特徴とする請求項１に記載の画像処理装置。
【請求項５】
前記第一の断面画像は、被検体のコロナル画像であり、前記第二の断面画像は、前記被検体のアキシャル画像あるいはサジタル画像である
ことを特徴とする請求項１に記載の画像処理装置。
【請求項６】
前記三次元画像は、等方性画素で構成されている
ことを特徴とする請求項１に記載の画像処理装置。
【請求項７】
前記判定手段は、前記第二の断面画像から得られた情報として、前記第二の断面画像中の陰影の円形度を特徴量として算出する
ことを特徴とする請求項１に記載の画像処理装置。
【請求項８】
放射線を被検体に照射して、該被検体の放射線画像を撮像して出力する撮像手段を更に備える
ことを特徴とする請求項１に記載の画像処理装置。
【請求項９】
第一の断面画像設定手段が、放射線投影データの再構成により得られた三次元画像を第一の断面で横断する第一の断面画像を設定する第一の断面画像設定工程と、
検出手段が、前記第一の断面画像内の陰影部を検出する検出工程と、
断面設定手段が、前記陰影部を横断する前記第一の断面画像の断面と異なる第二の断面を設定する断面設定工程と、
第二の断面画像設定手段が、前記三次元画像を前記第二の断面で横断する第二の断面画像を設定する第二の断面画像設定工程と、
判定手段が、前記第二の断面画像から得られた情報から、前記陰影部が診断対象であるか否かを判定する判定工程と
を有することを特徴とする画像処理方法。
【請求項１０】
コンピュータを、
放射線投影データの再構成により得られた三次元画像を第一の断面で横断する第一の断面画像を設定する第一の断面画像設定手段と、
前記第一の断面画像内の陰影部を検出する検出手段と、
前記陰影部を横断する前記第一の断面画像の断面と異なる第二の断面を設定する断面設定手段と、
前記三次元画像を前記第二の断面で横断する第二の断面画像を設定する第二の断面画像設定手段と、
前記第二の断面画像から得られた情報から、前記陰影部が診断対象であるか否かを判定する判定手段として機能させるためのコンピュータプログラム。
【手続補正２】
【補正対象書類名】明細書
【補正対象項目名】００１９
【補正方法】変更
【補正の内容】
【００１９】
本発明は上記課題を解決するために、被写体の放射線データから、診断対象となる診断部位を含む診断用画像を精度良く、かつ高速に判定することを目的とする。
【手続補正３】
【補正対象書類名】明細書
【補正対象項目名】００２０
【補正方法】変更
【補正の内容】
【００２０】
上記の目的を達成するための本発明による画像処理装置は以下の構成を備える。即ち、
放射線投影データの再構成により得られた三次元画像を第一の断面で横断する第一の断面画像を設定する第一の断面画像設定手段と、
前記第一の断面画像内の陰影部を検出する検出手段と、
前記陰影部を横断する前記第一の断面画像の断面と異なる第二の断面を設定する断面設定手段と、
前記三次元画像を前記第二の断面で横断する第二の断面画像を設定する第二の断面画像設定手段と、
前記第二の断面画像から得られた情報から、前記陰影部が診断対象であるか否かを判定する判定手段と
を有する。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】変更
【補正の内容】
【００２９】
本発明によれば、被写体の放射線データから、診断対象となる診断部位を含む診断用画像を精度良く、かつ高速に判定することができる。
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
第１絵柄を変動表示する第１絵柄表示装置と、
第２絵柄を変動表示する第２絵柄表示装置と、
遊技球飛翔領域に設けられた遊技球入球口と、
前記遊技球入球口に設けられ、該入球口への入球易さを変更すべく閉状態と開状態とで切り換え可能な電動役物と、
前記遊技球入球口への入球を契機として当たりか外れかの抽選を行い、その抽選結果に応じて前記第１絵柄の変動表示を指令する一方、同抽選結果が当たりの場合に当たり遊技状態に移行させる第１の遊技制御手段と、
所定の作動条件を契機として前記電動役物の状態切換の抽選を行うと共に前記第２絵柄の変動表示を指令し、該第２絵柄の変動終了時に前記抽選の結果に応じて前記電動役物を開状態に切り換える第２の遊技制御手段と、を備え、
前記第２絵柄の変動表示時間として少なくとも長短２種類の変動時間を用意しておき、通常遊技モードでは前記第２絵柄の変動表示時間を長い変動時間とし、特定遊技モードでは前記第２絵柄の変動表示時間を短い変動時間とするようにした遊技機において、
遊技途中において前記特定遊技モードに移行する際、当該特定遊技モードへの移行直前の前記第２絵柄の変動終了タイミングを検出し、該検出した第２絵柄の変動終了タイミングに応じてモード移行タイミングを決定するタイミング決定手段を備えたことを特徴とする遊技機。
【請求項２】
少なくとも特定遊技モードへの移行直前の所定期間において所定の単位時間毎に基準タイミングを設定しておき、前記タイミング決定手段は、前記検出した第２絵柄の変動終了タイミングより１つ前の基準タイミングに合わせて特定遊技モードへの移行タイミングを決定することを特徴とする請求項１に記載の遊技機。
【請求項３】
前記特定遊技モードに移行したことを前記第１絵柄表示装置にて表示する手段を備えたことを特徴とする請求項１又は２に記載の遊技機。
【請求項４】
第１絵柄を変動表示する第１絵柄表示装置と、
第２絵柄を変動表示する第２絵柄表示装置と、
遊技球飛翔領域に設けられた遊技球入球口と、
前記遊技球入球口に設けられ、該入球口への入球易さを変更すべく閉状態と開状態とで切り換え可能な電動役物と、
前記遊技球入球口への入球を契機として当たりか外れかの抽選を行い、その抽選結果に応じて前記第１絵柄の変動表示を指令する一方、同抽選結果が当たりの場合に当たり遊技状態に移行させる第１の遊技制御手段と、
所定の作動条件を契機として前記電動役物の状態切換の抽選を行うと共に前記第２絵柄の変動表示を指令し、該第２絵柄の変動終了時に前記抽選の結果に応じて前記電動役物を開状態に切り換える第２の遊技制御手段と、を備え、
前記第２絵柄の変動表示時間として少なくとも長短２種類の変動時間を用意しておき、前記当たり遊技状態を含む通常遊技モードでは前記第２絵柄の変動表示時間を長い変動時間とし、当たり遊技状態の終了後に移行する特定遊技モードでは前記第２絵柄の変動表示時間を短い変動時間とするようにした遊技機において、
前記当たり遊技状態が終了し特定遊技モードに移行する際に、当たり遊技状態の期間内における最後の前記第２絵柄の変動終了タイミングを検出し、該検出した第２絵柄の変動終了タイミングに応じてモード移行タイミングを決定するタイミング決定手段を備えたことを特徴とする遊技機。
【請求項５】
前記タイミング決定手段は、少なくとも前記当たり遊技状態の終了タイミングを含むそれ以前の所定終了期間内における前記第２絵柄の変動終了タイミングを、当たり遊技状態の期間内における最後の前記第２絵柄の変動終了タイミングとして検出することを特徴とする請求項４に記載の遊技機。
【請求項６】
前記所定終了期間において所定の単位時間毎に基準タイミングを設定しておき、前記タイミング決定手段は、前記検出した第２絵柄の変動終了タイミングより１つ前の基準タイミングに合わせて特定遊技モードへの移行タイミングを決定することを特徴とする請求項５に記載の遊技機。